(57)【要約】【課題】表示品位の低下を抑制することが可能な照明装置及び液晶表示装置を提供する。【解決手段】導光板と、前記導光板の第１端部に、第１方向に沿って配置された光源と、前記導光板の第１端部の、前記第１方向に交差する第２方向において反対側に位置する第２端部に沿って配置された内面と上面とを有するフレームと、前記フレームの少なくとも前記上面に配置された接着部材と、を備え、前記フレームのうちの少なくとも前記内面は、光吸収面であり、前記接着部材は、光透過性を有する、照明装置及び液晶表示装置。【選択図】図４
2017198854.tif 000002
【特許請求の範囲】
【請求項１】
導光板と、
前記導光板の第１端部に、第１方向に沿って配置された光源と、
前記導光板の第１端部の、前記第１方向に交差する第２方向において反対側に位置する第２端部に沿って配置された内面と上面とを有するフレームと、
前記フレームの少なくとも前記上面に配置された接着部材と、を備え、
前記フレームのうちの少なくとも前記内面は、光吸収面であり、
前記接着部材は、光透過性を有する、照明装置。
【請求項２】
前記フレームは、黒色である、請求項１に記載の照明装置。
【請求項３】
前記接着部材は、透明な両面テープ、もしくは、透明な接着剤である、請求項１又は２に記載の照明装置。
【請求項４】
前記導光板の上に配置されたシート部材を備え、
前記フレームは、前記導光板と前記第２方向において隣接する第１部分と、前記シート部材と前記第２方向において隣接する第２部分とを有し、
前記第１部分の前記第２方向における幅が、前記第２部分の前記第２方向における幅より大きい、請求項１乃至３のいずれか１項に記載の照明装置。
【請求項５】
前記内面は、第１面、第２面、及び、第３面を有し、
前記第１面は、前記導光板と前記第２方向において対向し、
前記第２面は、前記シート部材と前記第２方向において対向し、
前記第３面は、前記シート部材と前記第１及び第２方向に交差する第３方向において対向する、請求項４に記載の照明装置。
【請求項６】
前記接着部材の前記第２方向における幅は、前記上面の前記第２方向における幅と同じ又はそれ以上である、請求項１乃至５のいずれか１項に記載の照明装置。
【請求項７】
前記上面のうち前記接着部材と重なる前記第２方向における幅は、前記接着部材の前記第２方向における幅の２分の１以下である、請求項１乃至６のいずれか１項に記載の照明装置。
【請求項８】
前記接着部材は、前記上面から前記シート部材の上に延出している、請求項４又は５に記載の照明装置。
【請求項９】
第１基板と、前記第１基板と対向する第２基板と、前記第１基板と前記第２基板との間に保持された液晶層と、前記第１基板に接着された偏光板と、を備える表示パネルと、
前記表示パネルを照明する照明装置と、を備え、
前記照明装置は、
導光板と、
前記導光板の第１端部に、第１方向に沿って配置された光源と、
前記導光板の第１端部の、前記第１方向に交差する第２方向において反対側に位置する第２端部に沿って配置された内面と上面とを有するフレームと、
前記表示パネルと前記フレームとの間に位置し、前記表示パネルと前記フレームとを接着する接着部材と、を備え、
前記フレームのうちの少なくとも前記内面は、光吸収面であり、
前記接着部材は、光透過性を有する、液晶表示装置。
【請求項１０】
前記接着部材は、前記偏光板と前記フレームとを接着している、請求項９に記載の液晶表示装置。
【請求項１１】
前記導光板の上に配置されたシート部材を備え、
前記接着部材は、前記偏光板と、前記フレーム及び前記シート部材とを接着している、請求項９に記載の液晶表示装置。
【請求項１２】
前記フレームは、黒色である、請求項９乃至１１のいずれか１項に記載の液晶表示装置。
【請求項１３】
前記接着部材は、透明な両面テープ、もしくは、透明な接着剤である、請求項９乃至１２のいずれか１項に記載の液晶表示装置。
【請求項１４】
前記導光板の上に配置されたシート部材を備え、
前記フレームは、前記導光板と前記第２方向において隣接する第１部分と、前記シート部材と前記第２方向において隣接する第２部分とを有し、
前記第１部分の前記第２方向における幅が、前記第２部分の前記第２方向における幅より大きい、請求項９に記載の液晶表示装置。
【請求項１５】
前記内面は、第１面、第２面、及び、第３面を有し、
前記第１面は、前記導光板と前記第２方向において対向し、
前記第２面は、前記シート部材と前記第２方向において対向し、
前記第３面は、前記シート部材と前記第１及び第２方向に交差する第３方向において対向する、請求項１１に記載の液晶表示装置。
【請求項１６】
前記接着部材の前記第２方向における幅は、前記上面の前記第２方向における幅と同じ又はそれ以上である、請求項９乃至１５のいずれか１項に記載の液晶表示装置。
【請求項１７】
前記上面のうち前記接着部材と重なる前記第２方向における幅は、前記接着部材の前記第２方向における幅の２分の１以下である、請求項９乃至１６のいずれか１項に記載の液晶表示装置。
【請求項１８】
前記表示パネルは、画像を表示する表示領域の周辺の非表示領域に配置された遮光層を備え、
前記遮光層は、前記表示領域と前記非表示領域との境界に位置する第３端部を有し、
前記接着部材は、前記上面の直上に位置する第４端部と、前記第５端部よりも前記第３端部に近接する側に位置し且つ前記遮光層の直下に位置する第５端部と、を有する、請求項９乃至１７のいずれか１項に記載の液晶表示装置。
【発明の詳細な説明】
【技術分野】
【０００１】
本発明の実施形態は、照明装置及び液晶表示装置に関する。
【背景技術】
【０００２】
液晶表示装置は、表示装置として各種分野で利用されている。液晶表示装置は、表示パネル、照明装置としてのバックライトユニット等を備えている。バックライトユニットは、例えば、光源、導光板、白色樹脂からなる枠状のフレーム、黒色の粘着シート（遮光両面テープ）等を備えている。
【０００３】
近年の表示装置においては、狭額縁化への要求が高まり、バックライトユニットと表示パネルとを接着する領域（額縁）が極端に小さくなってきている。このため、遮光両面テープを高精度に加工することが困難となりつつあり、しかも、遮光両面テープをフレームに高精度で貼付けることや、バックライトユニットと表示パネルとを高精度に貼り付けることも困難となりつつある。結果として、遮光両面テープを高精度に加工及び貼付けができないモジュールでは、遮光両面テープが視認されたり、遮光両面テープが画素の透過光を遮光したりして、表示品位の低下を招くおそれがある。
【先行技術文献】
【特許文献】
【０００４】
【特許文献１】特開２０１２−５９３７２号公報
【特許文献２】特開２０１２−６４３６９号公報
【特許文献３】特開２０１４−１３５２９３号公報
【特許文献４】国際公開第２０１５／０３３６７１号
【発明の概要】
【発明が解決しようとする課題】
【０００５】
本実施形態の目的は、表示品位の低下を抑制することが可能な照明装置及び液晶表示装置を提供することにある。
【課題を解決するための手段】
【０００６】
本実施形態によれば、
導光板と、前記導光板の第１端部に、第１方向に沿って配置された光源と、前記導光板の第１端部の、前記第１方向に交差する第２方向において反対側に位置する第２端部に沿って配置された内面と上面とを有するフレームと、前記フレームの少なくとも前記上面に配置された接着部材と、を備え、前記フレームのうちの少なくとも前記内面は、光吸収面であり、前記接着部材は、光透過性を有する、照明装置が提供される。
【０００７】
本実施形態によれば、
第１基板と、前記第１基板と対向する第２基板と、前記第１基板と前記第２基板との間に保持された液晶層と、前記第１基板に接着された偏光板と、を備える表示パネルと、前記表示パネルを照明する照明装置と、を備え、
前記照明装置は、導光板と、前記導光板の第１端部に、第１方向に沿って配置された光源と、前記導光板の第１端部の、前記第１方向に交差する第２方向において反対側に位置する第２端部に沿って配置された内面と上面とを有するフレームと、前記表示パネルと前記フレームとの間に位置し、前記表示パネルと前記フレームとを接着する接着部材と、を備え、前記フレームのうちの少なくとも前記内面は、光吸収面であり、前記接着部材は、光透過性を有する、液晶表示装置が提供される。
【図面の簡単な説明】
【０００８】
【図１】図１は、本実施形態に係る表示装置の構成を示す斜視図である。
【図２】図２は、本実施形態に係る表示装置の構成及び等価回路を示す図である。
【図３】図３は、図２に示した画素の等価回路を示す図である。
【図４】図４は、表示パネルの断面を示す図である。
【図５】図５は、導光板の端部を含んだ表示装置の断面を示す図である。
【図６】図６は、本実施形態に係る接着部材とユーザーが視認する角度との関係を示す図である。
【図７】図７は、上記実施形態に係る接着部材の変形例１を示す図である。
【図８】図８は、上記実施形態に係る接着部材の変形例２を示す図である。
【図９】図９は、上記実施形態に係る表示装置の変形例３を示す斜視図である。
【図１０】図１０は、図９に示した表示装置の断面を示す図である。
【発明を実施するための形態】
【０００９】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００１０】
まず、本実施形態に係る表示装置について詳細に説明する。本実施形態においては、表示装置ＤＳＰが液晶表示装置である場合について説明する。この液晶表示装置は、例えば、スマートフォン、タブレット端末、携帯電話端末、パーソナルコンピュータ、テレビ受像装置、車載装置、ゲーム機器等の種々の装置に用いることができる。
【００１１】
図１は、本実施形態に係る表示装置ＤＳＰの構成を示す斜視図である。図中の第１方向Ｘ、第２方向Ｙ、及び、第３方向Ｚは、互いに直交しているが、９０度以外の角度で交差していても良い。第１方向Ｘ及び第２方向Ｙで規定されるＸ−Ｙ平面は、表示装置ＤＳＰの主面と平行であり、第３方向Ｚは、表示装置ＤＳＰの厚さ方向に相当する。
【００１２】
表示装置ＤＳＰは、表示パネルＰＮＬ、表示パネルＰＮＬを駆動する駆動ＩＣチップ２、フレキシブル配線基板ＦＰＣ、表示パネルＰＮＬを照明する照明装置（バックライトユニットと称される場合がある）ＢＬ、カバー部材ＣＶを備えている。
【００１３】
表示パネルＰＮＬは、液晶パネルであり、第１基板ＳＵＢ１と、第１基板ＳＵＢ１に対向配置された第２基板ＳＵＢ２と、第１基板ＳＵＢ１と第２基板ＳＵＢ２との間に保持された液晶層と、を備えている。なお、液晶層は、表示パネルＰＮＬの厚みに比べて極めて薄く、第１基板ＳＵＢ１と第２基板ＳＵＢ２とを貼り合せるシール材の内側に位置しているため、その図示を省略している。また、表示パネルＰＮＬは、画像を表示する表示領域ＤＡ、及び、表示領域ＤＡを囲む周辺において額縁状の非表示領域ＮＤＡを備えている。複数の画素ＰＸは、表示領域ＤＡにおいてマトリクス状に配置されている。駆動ＩＣチップ２及びフレキシブル配線基板ＦＰＣは、非表示領域ＮＤＡにおいて、第１基板ＳＵＢ１に実装されている。
【００１４】
照明装置ＢＬは、表示パネルＰＮＬの一方の外面ＰＮＬａ側（あるいは表示パネルＰＮＬを構成する第１基板ＳＵＢ１と対向する側）に配置されている。照明装置ＢＬは、図示した例では、接着部材ＡＤ１、シート部材ＯＳ、導光板ＬＧ、ライトユニットＬＵ、フレームＦＲ、反射シートＲＳを備えている。
【００１５】
シート部材ＯＳは、光透過性を有しており、外面ＰＮＬａ側に配置されている。図示した例では、照明装置ＢＬは、シート部材ＯＳとして、プリズムシートＯＳＡ、拡散シートＯＳＢを備えているが、図示した２つのシートとは別に、他の機能を有したシートを備えていても良い。図示した例では、これらのシート部材ＯＳは、いずれも長方形状に形成され、表示領域ＤＡに対向している。なお、シート部材ＯＳは、長方形に限定されず、隣り合う２辺のなす角度が９０度ではない四角形であっても良い。
【００１６】
導光板ＬＧは、例えば、平板状に形成され、シート部材ＯＳと対向している。導光板ＬＧは、シート部材ＯＳと対向する側の主面ＬＧＡと、主面ＬＧＡの反対側の主面ＬＧＢと、主面ＬＧａと主面ＬＧｂとをつなぐ側面に相当する端部ＬＧｅ１、ＬＧｅ２、ＬＧｅ３と、を有している。端部ＬＧｅ１及びＬＧｅ２は、それぞれ第１方向Ｘに延出している。端部ＬＧｅ３は、第２方向Ｙに延出している。端部ＬＧｅ１は、表示パネルＰＮＬにおいて駆動ＩＣチップ２及びフレキシブル配線基板ＦＰＣが実装される領域と第３方向Ｚにおいて対向している。端部ＬＧｅ２は、端部ＬＧｅ１の、第２方向Ｙにおける反対側に位置している。
【００１７】
ライトユニットＬＵは、導光板ＬＧの端部ＬＧｅ１において第１方向Ｘに沿って配置された複数の光源ＬＳ、複数の光源ＬＳが実装されるフレキシブル回路基板ＬＦＰＣ等を備えている。
【００１８】
フレームＦＲは、外面ＰＮＬａ側に配置されている。フレームＦＲは、少なくとも、導光板ＬＧの端部ＬＧｅ２に沿って設けられる。すなわち、フレームＦＲは、導光板ＬＧの端部において、複数の光源ＬＳが設けられる端部ＬＧｅ１の反対側に設けられる。あるいは、フレームＦＲは、導光板ＬＧ及びシート部材ＯＳを囲む矩形枠状に設けられても良いし、導光板ＬＧ及びシート部材ＯＳを囲む領域のうち、複数の光源ＬＳが設けられる端部ＬＧｅ１を除く三辺に設けられても良い。図示した例では、フレームＦＲは、導光板ＬＧ及びシート部材ＯＳを囲む矩形枠状に形成されており、表示領域ＤＡと対向する領域に長方形状の開口部ＯＰを有している。
【００１９】
反射シートＲＳは、光反射性を有しており、導光板ＬＧの主面ＬＧｂと対向する側に配置されている。詳述しないが、反射シートＲＳは、フレームＦＲと接着されている。このような反射シートＲＳ及びフレームＦＲは、導光板ＬＧ、シート部材ＯＳ、及び、ライトユニットＬＵを収容する収容部として機能する。
【００２０】
接着部材ＡＤ１は、矩形枠状に形成されており、表示パネルＰＮＬとフレームＦＲとの間に配置されている。後述するが、接着部材ＡＤ１は、表示パネルＰＮＬの非表示領域ＮＤＡと対向する位置で、表示パネルＰＮＬ及びフレームＦＲを接着している。これにより、照明装置ＢＬと表示パネルＰＮＬとが一体化されている。
【００２１】
カバー部材ＣＶは、表示パネルＰＮＬの他方の外面ＰＮＬｂ側（あるいは表示パネルＰＮＬを構成する第２基板ＳＵＢ２と対向する側）に配置されている。カバー部材ＣＶは、例えば、ガラスを用いて形成されている。この場合、カバー部材ＣＶはカバーガラスと称される場合がある。又は、カバー部材ＣＶは、樹脂などの光透過性を有する材料を用いて形成されていても良い。
【００２２】
なお、このような構成の表示装置ＤＳＰは、照明装置ＢＬから表示パネルＰＮＬに入射する光を各画素ＰＸで選択的に透過させることによって画像を表示する透過表示機能を備えた、透過型の液晶表示装置に相当する。但し、表示装置ＤＳＰは、透過表示機能に加えて、外光または補助光を選択的に反射させることによって画像を表示する反射表示機能を備えた半透過型の液晶表示装置であっても良い。
【００２３】
図２は、本実施形態に係る表示装置ＤＳＰの構成を示す図である。表示パネルＰＮＬは、表示領域ＤＡにおいて、複数本の走査線Ｇ１乃至Ｇｎ、複数本の信号線Ｓ１乃至Ｓｍ、共通電極ＣＥ等を備えている。走査線Ｇ１乃至Ｇｎは、それぞれ第１方向Ｘに延出し、第２方向Ｙに並び、非表示領域ＮＤＡにおいて走査線駆動回路ＧＤに接続されている。信号線Ｓ１乃至Ｓｍは、それぞれ第２方向Ｙに延出し、第１方向Ｘに並び、非表示領域ＮＤＡにおいて信号線駆動回路ＳＤに接続されている。なお、走査線Ｇ１乃至Ｇｎ及び信号線Ｓ１乃至Ｓｍは、必ずしも直線的に延出していなくても良く、それらの一部が屈曲していてもよい。共通電極ＣＥは、複数の画素ＰＸに亘って配置され、非表示領域ＮＤＡにおいて共通電極駆動回路ＣＤに接続されている。
【００２４】
図３は、図２に示した画素ＰＸの等価回路を示す図である。画素ＰＸは、スイッチング素子ＳＷ、画素電極ＰＥ、共通電極ＣＥ、液晶層ＬＱ等を備えている。スイッチング素子ＳＷは、例えば薄膜トランジスタ（ＴＦＴ）によって構成され、走査線Ｇ及び信号線Ｓと電気的に接続されている。画素電極ＰＥは、スイッチング素子ＳＷと電気的に接続されている。各画素ＰＸの画素電極ＰＥは、共通電極ＣＥと対向し、画素電極ＰＥと共通電極ＣＥとの間に生じる電界によって液晶層ＬＱ内の液晶分子を駆動する。保持容量ＣＳは、例えば、共通電極ＣＥと同電位の電極、及び、画素電極ＰＥと同電位の電極の間に形成される。
【００２５】
図４は、表示パネルＰＮＬの断面を示す図である。表示パネルＰＮＬは、第１基板ＳＵＢ１、第２基板ＳＵＢ２、液晶層ＬＱ、シール材ＳＬ、偏光板ＰＬ１、偏光板ＰＬ２等を備えている。
【００２６】
第１基板ＳＵＢ１は、ガラス基板や樹脂基板等の光透過性を有する基板である第１絶縁基板１０を用いて構成されている。また、第２基板ＳＵＢ２は、ガラス基板や樹脂基板等の光透過性を有する基板である第２絶縁基板２０を用いて構成されている。一例では、第１基板ＳＵＢ１は、上記の走査線Ｇ、信号線Ｓ、スイッチング素子ＳＷ、画素電極ＰＥなどを備えている。共通電極ＣＥは、第１基板ＳＵＢ１及び第２基板ＳＵＢ２の少なくとも一方に備えられている。第２基板ＳＵＢ２は、第２絶縁基板２０の第１基板ＳＵＢ１と対向する側の面に遮光層ＢＭを有している。本実施形態においては、非表示領域ＮＤＡに配置された遮光層ＢＭのみを図示し、表示領域ＤＡに配置された遮光層の図示は省略する。
【００２７】
遮光層ＢＭは、非表示領域ＮＤＡにおいて略全域に配置されている。遮光層ＢＭの端部ＢＭｅは、表示領域ＤＡと非表示領域ＮＤＡとの境界に位置している。表示領域ＤＡにおいて図示しない遮光層は、各画素を区画するように配置されており、第１基板ＳＵＢ１に配置された走査線、信号線、スイッチング素子等の配線部と対向するように配置される。また、シール材ＳＬは、非表示領域ＮＤＡに配置され、第１基板ＳＵＢ１と第２基板ＳＵＢ２とを貼り合わせている。液晶層ＬＱは、第１基板ＳＵＢ１と第２基板ＳＵＢ２との間でシール材ＳＬによって囲まれた空間に保持されている。
【００２８】
偏光板ＰＬ１は、第１基板ＳＵＢ１の第２基板ＳＵＢ２と対向する側とは反対側の面に配置されている。偏光板ＰＬ１は、第１基板ＳＵＢ１に接着されている。偏光板ＰＬ２は、第２基板ＳＵＢ２の第１基板ＳＵＢ１と対向する側とは反対側の面に配置されている。偏光板ＰＬ２は、第２基板ＳＵＢ２に接着されている。なお、偏光板ＰＬ１及びＰＬ２は、位相差板等の他の光学素子を含んでいても良い。また、図示した例では、偏光板ＰＬ１の端部ＰＬｅ１が第１基板ＳＵＢ１の端部ＳＵＢ１ｅよりも外側に位置し、偏光板ＰＬ２の端部ＰＬｅ２が第２基板ＳＵＢ２の端部ＳＵＢ２ｅよりも外側に位置しているが、これらの点については、後に詳述する。
【００２９】
図５は、導光板ＬＧの端部ＬＧｅ２を含んだ表示装置ＤＳＰの断面を示す図である。なお、フレームＦＲが第２方向Ｙに沿った端部ＬＧｅ３に沿って設けられている場合には、端部ＬＧｅ３を含む表示装置ＤＳＰの断面形状は、図５に示した断面形状と同一とすることができ、ここではその説明は省略する。  
本実施形態においては、非表示領域ＮＤＡから表示領域ＤＡに向かう方向を表示装置ＤＳＰの内側に向かう方向と定義し、その反対方向を表示装置ＤＳＰの外側に向かう方向と定義する。また、第１基板ＳＵＢ１から第２基板ＳＵＢ２に向かう方向を上又は上方と定義し、第２基板ＳＵＢ２から第１基板ＳＵＢ１に向かう方向を下又は下方と定義する。また、「第１部材の上方の第２部材」及び「第１部材の下方の第２部材」とした場合、第２部材は、第１部材に接していてもよく、又は第１部材から離れて位置していてもよい。第２部材が第１部材から離れて位置している場合、第１部材と第２部材との間に、第３の部材が介在していてもよい。一方、「第１部材の上の第２部材」及び「第１部材の下の第２部材」とした場合、第２部材は第１部材に接している。
【００３０】
図示した例では、偏光板ＰＬ１の端部ＰＬ１ｅ及び偏光板ＰＬ２の端部ＰＬ２ｅは、第１基板ＳＵＢ１の端部ＳＵＢ１ｅ及び第２基板ＳＵＢ２の端部ＳＵＢ２ｅより外側に位置している。ここで、表示パネルＰＮＬは、照明装置ＢＬからの光によって照明される被照明体に相当する。
【００３１】
カバー部材ＣＶは、接着剤ＧＬによって偏光板ＰＬ２に接着されている。なお、カバー部材ＣＶの表示パネルＰＮＬと対向する側と反対側が、表示面側に相当する。
【００３２】
導光板ＬＧは、反射シートＲＳの上に配置されている。導光板ＬＧは、表示領域ＤＡに配置されるとともに、非表示領域ＮＤＡまで延出している。導光板ＬＧの端部ＬＧｅ２は、非表示領域ＮＤＡに位置している。シート部材ＯＳは、導光板ＬＧの上に配置されている。シート部材ＯＳのうち、シート部材ＯＳＢは、導光板ＬＧの上に重なり、シート部材ＯＳＡは、シート部材ＯＳＢの上に重なっている。導光板ＬＧ、シート部材ＯＳＡ及びシート部材ＯＳＢは、例えば、互いに接着されずに積層されている。シート部材ＯＳは、表示領域ＤＡに配置されるとともに、非表示領域ＮＤＡまで延出している。また、シート部材ＯＳは、導光板ＬＧよりも外側に向かう方向に延出している。つまり、シート部材ＯＳの端部ＯＳｅは、非表示領域ＮＤＡに位置し、且つ、導光板ＬＧの端部ＬＧｅ２よりも表示領域ＤＡ及び非表示領域ＮＤＡの境界Ｂから離れた側に位置している。
【００３３】
フレームＦＲは、反射シートＲＳの上方に配置されている。フレームＦＲは、接着部材ＡＤ２によって反射シートＲＳに接着されている。フレームＦＲは、導光板ＬＧ及びシート部材ＯＳを囲む内面ＩＳと、上面ＵＳとを有している。
【００３４】
内面ＩＳは、例えば、第１面ＩＳ１と、第２面ＩＳ２と、第３面ＩＳ３と、を有している。第１面ＩＳ１は、導光板ＬＧと第２方向Ｙにおいて対向している。第２面ＩＳ２は、シート部材ＯＳと第２方向Ｙにおいて対向している。第３面ＩＳ３は、シート部材ＯＳと第３方向Ｚにおいて対向している。図示した例では、第１面ＩＳ１及び第２面ＩＳ２は、第１方向Ｘ及び第３方向Ｚによって規定されるＸ−Ｚ平面と平行である。第３面ＩＳ３は、第１方向Ｘ及び第２方向Ｙによって規定されるＸ−Ｙ平面と平行であり、第１面ＩＳ１及び第２面ＩＳ２と直交している。第１面ＩＳ１は、第２方向Ｙにおいて端部ＬＧｅ２と対向している。第２面ＩＳ２は、第２方向Ｙにおいて端部ＯＳｅと対向している。第３面ＩＳ３は、第１面ＩＳ１と第２面ＩＳ２とをつなぐ面に相当し、導光板ＬＧよりも外側に向かう方向に延出したシート部材ＯＳと第３方向Ｚに対向している。  
なお、端部ＬＧｅ２と第１面ＩＳ１との間、端部ＯＳｅと第２面ＩＳ２との間、及び、シート部材ＯＳと第３面ＩＳ３との間には、それぞれの部材の熱膨張や加工精度を考慮して、空間が設けられることが望ましい。
【００３５】
上面ＵＳは、表示パネルＰＮＬと第３方向Ｚにおいて対向している。図示した例では、上面ＵＳは、表示パネルＰＮＬのうち、偏光板ＰＬ１と対向している。なお、上面ＵＳは、偏光板ＰＬ１を介さずに第１基板ＳＵＢ１と対向していても良い。第１基板ＳＵＢ１の端部ＳＵＢ１ｅ及び第２基板ＳＵＢ２の端部ＳＵＢ２ｅは、上面ＵＳの直上に位置している。
【００３６】
本実施形態において、フレームＦＲのうち少なくとも内面ＩＳは、光を吸収する光吸収面として機能する。このようなフレームＦＲは、可視光域において低反射率の色、例えばその全体が黒やグレーなどの色に着色された材料によって形成可能である。また、フレームＦＲの内面ＩＳのみ、もしくは、フレームＦＲの表面全体が上記の色に着色されていても良い。
【００３７】
接着部材ＡＤ１は、フレームＦＲの少なくとも上面ＵＳに配置されている。図示した例では、接着部材ＡＤ１は、偏光板ＰＬ１とフレームＦＲとを接着している。また、接着部材ＡＤ１は、上面ＵＳからシート部材ＯＳの上にも延出しており、接着部材ＡＤ１が端部ＯＳｅに重なっている。この状態では、接着部材ＡＤ１は、偏光板ＰＬ１と、フレームＦＲ及びシート部材ＯＳとを互いに接着している。なお、上面ＵＳが偏光板ＰＬ１を介さずに第１基板ＳＵＢ１と対向している場合には、接着部材ＡＤ１は、第１基板ＳＵＢ１とフレームＦＲとを接着していても良い。また、接着部材ＡＤ１は、第１基板ＳＵＢ１及び偏光板ＰＬ１と、フレームＦＲとを接着していても良い。
【００３８】
本実施形態においては、接着部材ＡＤ１は、光透過性を有しており、例えば、透明な両面テープ、もしくは、透明な接着剤である。ここで、「光透過性」とは、表示パネルＰＮＬの透過率を１００％としたときに、６０％以上、好ましくは７０％以上の透過率であることとして定義する。一例では、接着部材ＡＤ１の透過率は、表示パネルＰＮＬの透過率を１００％としたときに、７７％である。なお、接着部材ＡＤ１が透明な両面テープである場合、例えば、透明のポリエチレンテレフタラート（ＰＥＴ）の両面に透明な粘着剤が塗布された両面テープが用いられる。このとき、粘着剤が上述の透過率であれば、他に不透明な物質を含有していても良い。また、接着部材ＡＤ１が透明な接着剤である場合も同様に、接着剤が上述の透過率であれば、他に不透明な物質を含んでいても良い。
【００３９】
フレームＦＲは、他の観点では、導光板ＬＧに隣接する第１部分ＦＲ１、及び、シート部材ＯＳに隣接する第２部分ＦＲ２を有するものとみなすことができる。第１部分ＦＲ１は反射シートＲＳの上に重なる部分に相当し、第２部分ＦＲ２は表示パネルＰＮＬの下に重なる部分に相当する。図示した断面において、第１部分ＦＲ１は第２方向Ｙに幅Ｗ１１を有し、第２部分ＦＲ２は第２方向Ｙに幅Ｗ１２を有する。また、幅Ｗ１１は幅Ｗ１２よりも大きい。
【００４０】
フレームＦＲの上面ＵＳは、第２部分ＦＲ２と同様の幅Ｗ１２を有している。また、上面ＵＳは、第２方向Ｙに接着部材ＡＤ１と重なる幅Ｗ１を有している。接着部材ＡＤ１は、第２方向Ｙに幅Ｗ２を有している。幅Ｗ２は、幅Ｗ１と同じ又はそれ以上であることが望ましい。幅Ｗ１は、例えば、幅Ｗ２の２分の１以下である。また、接着部材ＡＤ１は、端部ＡＤｅ１及びＡＤｅ２を有している。端部ＡＤｅ１は、外側に位置し、図示した例では、上面ＵＳの直上に位置している。端部ＡＤｅ２は、端部ＡＤｅ１よりも内側に位置し、図示した例では、遮光層ＢＭの直下であって且つシート部材ＯＳの直上に位置している。ここで、端部ＡＤｅ１と境界Ｂとの間の幅を幅Ｗ３とする。本実施形態においては、例えば、幅Ｗ２は、約０．３〜０．８ｍｍであり、幅Ｗ３は、約０〜０．４ｍｍである。このとき、例えば、幅Ｗ２と幅Ｗ３との和は、０．３ｍｍ以上０．８ｍｍ以下であり、好ましくは０．６ｍｍ程度である。
【００４１】
シート部材ＯＳと表示パネルＰＮＬとの間にはエアギャップＡＧが形成されている。エアギャップＡＧの第３方向Ｚに沿った高さは、接着部材ＡＤ１の第３方向Ｚに沿った厚みと同じである。例えば、接着部材ＡＤ１がシート部材ＯＳの上まで延出していない場合にも、表示品位の低下を抑制するために、シート部材ＯＳと表示パネルＰＮＬとの間にエアギャップＡＧが形成されることが望ましい。
【００４２】
図６は、本実施形態に係る接着部材ＡＤ１とユーザーＵが視認する角度θとの関係を示す図である。図６では、ユーザーＵが表示装置ＤＳＰを視認する角度θを、遮光層ＢＭの端部ＢＭｅを通る表示パネルＰＮＬの法線Ｎと、ユーザーＵと端部ＢＭｅとをつなぐ線を線Ｌとの間の角度として定義する。図示した例では、角度θが４５度の場合に相当する。このとき、線Ｌの延長線上には、接着部材ＡＤ１、シート部材ＯＳ、及び、内面ＩＳが位置している。
【００４３】
本実施形態においては、ユーザーＵが角度θ（＝４５度）の位置から表示装置ＤＳＰを観察したときに、端部ＢＭｅの近傍の画素を通る光が接着部材ＡＤ１によって遮られ、ユーザーＵが当該画素を視認できないことを「画素欠け」と称する。
【００４４】
本実施形態によれば、表示パネルＰＮＬ及びフレームＦＲは、光透過性を有する接着部材ＡＤ１によって接着されている。照明装置ＢＬにおいて、光源ＬＳからの光は、導光板ＬＧ内を伝播された後に、シート部材ＯＳにおいて拡散され、表示パネルＰＮＬを照明する。このとき、線Ｌに示すように、接着部材ＡＤ１の下方に導かれた光は、光透過性の接着部材ＡＤ１を透過し、表示パネルＰＮＬに入射する。このため、ユーザーＵは、端部ＢＭｅの近傍の画素を通る光を視認することができる。つまり、本実施形態によれば、角度θが０度から４５度までの範囲でユーザーＵが表示面を観察した場合に、接着部材ＡＤ１による画素欠けは起こらない。よって、表示品位の低下を抑制することができる。  
【００４５】
本実施の形態によれば、接着部材ＡＤ１が光透過性を有するため、ユーザーＵが角度θ（＝４５度）の位置から表示装置ＤＳＰを観察したときに、端部ＢＭｅの近傍の画素を通る光を視認することができる。ただし、その際にフレームＦＲにも入射した光が達する。従来の白色樹脂からなる枠状のフレームを用いた場合には、入射した光はフレームの面で反射されてしまい、フレームの面周辺が光ってしまう恐れがある。  
しかしながら、本実施の形態のフレームＦＲのうち、少なくとも内面ＩＳは、光吸収面である。このため、導光板ＬＧ内を伝播された光が端部ＬＧｅ２から漏れ出したり、シート部材ＯＳにおいて拡散された光が端部ＯＳｅから漏れ出したりしても、フレームＦＲの内面ＩＳでの不所望な光の反射及び散乱を抑制することができる。  
したがって、表示品位の低下を招くことなく、狭額縁化が可能となる。
【００４６】
また、高温試験によって、例えば、導光板ＬＧ、シート部材ＯＳ、フレームＦＲ等が非表示領域ＮＤＡから表示領域ＤＡに向かう方向に収縮し、接着部材ＡＤが表示領域ＤＡ側に近づいた場合にも、画素欠けの発生を抑制することができる。
【００４７】
また、シート部材ＯＳは、フレームＦＲと第２方向Ｙに対向する端部ＯＳｅを有している。端部ＯＳｅは、導光板ＬＧの端部ＬＧｅ２より外側に位置している。そのため、端部ＬＧｅ２は、第３方向Ｚにシート部材ＯＳと重なっており、表示面側から見たときに、端部ＬＧｅ２での反射光がシート部材ＯＳによって適度に拡散される。また、端部ＬＧｅ２に到達した光は、シート部材ＯＳによって、シート部材ＯＳとフレームＦＲとの間の空間に拡散される。これにより、端部ＬＧｅ２が局所的に明るく視認される輝線の発生を抑制することができる。
【００４８】
また、例えば、幅Ｗ１は、幅Ｗ２の２分の１以下である。これにより、表示装置ＤＳＰの更なる狭額縁化にも対応することが可能である。
【００４９】
（変形例１）
図７は、上記実施形態に係る接着部材ＡＤ１の変形例１を示す図である。  
図７に示した変形例１は、接着部材ＡＤ１が上面ＵＳのみに配置された場合に相当する。接着部材ＡＤ１は、シート部材ＯＳの上には配置されていない。図示した例では、接着部材ＡＤ１は、上面ＵＳの全面のみに配置され、その幅Ｗ２は、上面ＵＳの幅Ｗ１と同じである。本実施形態においては、幅Ｗ２は、幅Ｗ１以上の大きさをとり得るが、図示した例では、幅Ｗ２は下限値をとっており、本実施形態においては、例えば、約０．３ｍｍである。このような下限値は、例えば、表示パネルＰＮＬとフレームＦＲとの接着強度を確保できるように設定される。
図７に示す構成では、接着部材ＡＤ１の存否にかかわらず、画素欠けの発生を抑制することができるため、表示装置ＤＳＰの狭額縁化を実現するに際して、接着部材ＡＤ１の加工精度や、表示パネルＰＮＬとフレームＦＲの貼り合わせの精度のマージンを確保することができる。また、接着部材ＡＤ１の加工精度を向上するために、接着部材ＡＤ１の材料等を制限する必要がなく、接着部材ＡＤ１を低コスト化することができる。また、接着部材ＡＤ１の貼り合わせずれによる歩留まり低下を抑制することができる。また、貼り合わせ精度の向上のために高価な設備等を導入する必要がなく低コスト化することができる。
【００５０】
（変形例２）
図８は、上記実施形態に係る接着部材ＡＤ１の変形例２を示す図である。  
図８に示した変形例２は、図７に示した変形例１と比較して、接着部材ＡＤ１の幅Ｗ２が大きい点で異なっている。接着部材ＡＤ１は、フレームＦＲの上面ＵＳからシート部材ＯＳの上まで延出している。接着部材ＡＤ１の端部ＡＤｅ１は、遮光層ＢＭの端部ＢＭｅと重なる位置にある。図示した例では、幅Ｗ３の値は０であり、幅Ｗ２は上限値をとっており、本実施形態においては、例えば、約０．８ｍｍである。このような上限値は、例えば、接着部材ＡＤ１が表示領域ＤＡに延在することによる、表示領域ＤＡの各画素間での見栄えの差（例えば、表示領域中央部の接着部材ＡＤ１と重ならない画素と、表示領域周縁部の接着部材ＡＤ１と重なる画素とでの見栄えの差）を生じさせないように設定される。
【００５１】
幅Ｗ２は、図７に示した下限値と、図８に示した上限値との間の値をとることが望ましい。
【００５２】
（変形例３）
図９は、上記実施形態に係る表示装置の変形例３を示す斜視図である。図示した変形例３は、図１に示した構成例と比較して、表示装置ＤＳＰがフレームの代わりにケースＣを備えている点で相違している。反射シートＲＳ、導光板ＬＧ、光学シートＯＳ、及び、ライトユニットＬＵを収容する収容部として機能する。ケースＣの詳細な構造については、図１０を参照して説明する。
【００５３】
図１０は、図９に示した表示装置の断面を示す図である。ケースＣは、フレーム部ＦＲと、外装部ＢＺとを備えている。フレーム部ＦＲは、図１に示したフレームに相当するものであり、その詳細についての説明を省略する。外装部ＢＺは、例えば金属製であるが、樹脂などの他の材料によって形成されていても良い。表示領域ＤＡにおいては、外装部ＢＺの上に、反射シートＲＳ、導光板ＬＧ、光学シートＯＳが第３方向Ｚに沿ってこの順に積層されている。ケースＣは、上面ＵＳを有している。上面ＵＳは、フレーム部ＦＲの上面ＵＳ１、及び、外装部ＢＺの上面ＵＳ２を有している。上面ＵＳ１及び上面ＵＳ２は、Ｘ−Ｙ平面と平行であり、図示した例では、上面ＵＳ１及び上面ＵＳ２は、同一平面を形成している。接着部材ＡＤ１は、表示パネルＰＮＬの偏光板ＰＬ１と、上面ＵＳ１及び上面ＵＳ２との間にそれぞれ位置している。また、図示した例では、接着部材ＡＤ１は、偏光板ＰＬ１とシート部材ＯＳとの間にも位置している。  
このような変形例３においても、フレーム部ＦＲのうちの少なくとも内面ＩＳは、光吸収面であり、また、接着部材ＡＤ１は、光透過性を有している。これにより、上記と同様の効果が得られる。
【００５４】
以上説明したように、本実施形態によれば、表示品位の低下を抑制することが可能な照明装置及び液晶表示装置を得ることができる。
【００５５】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００５６】
本明細書にて開示した構成から得られる照明装置及び液晶表示装置の一例を以下に付記する。  
（１）導光板と、
前記導光板の第１端部に、第１方向に沿って配置された光源と、
前記導光板の第１端部の、前記第１方向に交差する第２方向において反対側に位置する第２端部に沿って配置された内面と上面とを有するフレームと、
前記フレームの少なくとも前記上面に配置された接着部材と、を備え、
前記フレームのうちの少なくとも前記内面は、光吸収面であり、
前記接着部材は、光透過性を有する、照明装置である。  
（２）前記フレームは、黒色である、（１）に記載の照明装置である。  
（３）前記接着部材は、透明な両面テープ、もしくは、透明な接着剤である、（１）又は（２）に記載の照明装置である。  
（４）前記導光板の上に配置されたシート部材を備え、
前記フレームは、前記導光板と前記第２方向において隣接する第１部分と、前記シート部材と前記第２方向において隣接する第２部分とを有し、
前記第１部分の前記第２方向における幅が、前記第２部分の前記第２方向における幅より大きい、（１）乃至（３）のいずれか１つに記載の照明装置である。  
（５）前記内面は、第１面、第２面、及び、第３面を有し、
前記第１面は、前記導光板と前記第２方向において対向し、
前記第２面は、前記シート部材と前記第２方向において対向し、
前記第３面は、前記シート部材と前記第１及び第２方向に交差する第３方向において対向する、（４）に記載の照明装置である。  
（６）前記接着部材の前記第２方向における幅は、前記上面の前記第２方向における幅と同じ又はそれ以上である、（１）乃至（５）のいずれか１つに記載の照明装置である。  
（７）前記上面のうち前記接着部材と重なる前記第２方向における幅は、前記接着部材の前記第２方向における幅の２分の１以下である、（１）乃至（６）のいずれか１つに記載の照明装置である。  
（８）前記接着部材は、前記上面から前記シート部材の上に延出している、（４）又は（５）に記載の照明装置である。  
（９）第１基板と、前記第１基板と対向する第２基板と、前記第１基板と前記第２基板との間に保持された液晶層と、前記第１基板に接着された偏光板と、を備える表示パネルと、  
前記表示パネルを照明する照明装置と、を備え、  
前記照明装置は、  
導光板と、  
前記導光板の第１端部に、第１方向に沿って配置された光源と、
前記導光板の第１端部の、前記第１方向に交差する第２方向において反対側に位置する第２端部に沿って配置された内面と上面とを有するフレームと、
前記表示パネルと前記フレームとの間に位置し、前記表示パネルと前記フレームとを接着する接着部材と、を備え、  
前記フレームのうちの少なくとも前記内面は、光吸収面であり、  
前記接着部材は、光透過性を有する、液晶表示装置である。  
（１０）前記接着部材は、前記偏光板と前記フレームとを接着している、（９）に記載の液晶表示装置である。  
（１１）前記導光板の上に配置されたシート部材を備え、  
前記接着部材は、前記偏光板と、前記フレーム及び前記シート部材とを接着している、（９）に記載の液晶表示装置である。  
（１２）前記フレームは、黒色である、（９）乃至（１１）のいずれか１つに記載の液晶表示装置である。  
（１３）前記接着部材は、透明な両面テープ、もしくは、透明な接着剤である、（９）乃至（１２）のいずれか１つに記載の液晶表示装置である。  
（１４）前記導光板の上に配置されたシート部材を備え、  
前記フレームは、前記導光板と前記第２方向において隣接する第１部分と、前記シート部材と前記第２方向において隣接する第２部分とを有し、
前記第１部分の前記第２方向における幅が、前記第２部分の前記第２方向における幅より大きい、（９）に記載の液晶表示装置である。  
（１５）前記内面は、第１面、第２面、及び、第３面を有し、
前記第１面は、前記導光板と前記第２方向において対向し、
前記第２面は、前記シート部材と前記第２方向において対向し、
前記第３面は、前記シート部材と前記第１及び第２方向に交差する第３方向において対向する、（１１）に記載の液晶表示装置である。  
（１６）前記接着部材の前記第２方向における幅は、前記上面の前記第２方向における幅と同じ又はそれ以上である、（９）乃至（１５）のいずれか１つに記載の液晶表示装置である。  
（１７）前記上面のうち前記接着部材と重なる前記第２方向における幅は、前記接着部材の前記第２方向における幅の２分の１以下である、（９）乃至（１６）のいずれか１つに記載の液晶表示装置である。  
（１８）前記表示パネルは、画像を表示する表示領域の周辺の非表示領域に配置された遮光層を備え、  
前記遮光層は、前記表示領域と前記非表示領域との境界に位置する第３端部を有し、
前記接着部材は、前記上面の直上に位置する第４端部と、前記第５端部よりも前記第３端部に近接する側に位置し且つ前記遮光層の直下に位置する第５端部と、を有する、（９）乃至（１７）のいずれか１つに記載の液晶表示装置である。  
【符号の説明】
【００５７】
ＤＳＰ…表示装置、ＢＬ…バックライトユニット、ＬＧ…導光板、
ＯＳ…シート部材、ＩＳ…内面、ＵＳ…上面、ＦＲ…フレーム、
ＡＤ１…接着部材、ＬＧＥ２…端部、ＯＳＥ…端部、ＩＳ１…第１面、
ＩＳ２…第２面、ＩＳ３…第３面、Ｗ１、Ｗ２、Ｗ３…幅、
ＳＵＢ１…第１基板、ＳＵＢ２…第２基板、ＬＱ…液晶層、
ＰＬ１、ＰＬ２…偏光板、ＰＮＬ…表示パネル。
【図１】
2017198854.tif 000003
【図２】
2017198854.tif 000004
【図３】
2017198854.tif 000005
【図４】
2017198854.tif 000006
【図５】
2017198854.tif 000007
【図６】
2017198854.tif 000008
【図７】
2017198854.tif 000009
【図８】
2017198854.tif 000010
【図９】
2017198854.tif 000011
【図１０】
2017198854.tif 000012